(57)【要約】【課題】無意識の内に自然と漏れる便は下着を汚し、臭いを発し不快感を感じていた。自然ともれてしまうおならも、悪臭や音を発すると周りの雰囲気を変えていた。【解決手段】自然と漏れる便を、便器にたどり着くまで、直腸から肛門への出口で防ぐ事ができると、臭いを発する事もない。大事な席でおならがもれ出ないように気を使わないですめば、気が楽になる。直腸から肛門への出口、肛門と又は肛門出口に、身体に害を与えない、出し入れ自在の栓１、２、３、４を肛門より直腸の出口まで挿入し、一時的に便やおならのもれを防ぐ栓を提供する。又、この栓に薬をぬって多種多数の痔に一度に直接、薬をあてがったり、栓の材質を目的に応じて代えていくと、活性炭で体内のガスを吸着したり、鉱石や磁気等を自在に出し入れ可能な栓あるいは道具となる。又、この栓は、専門医の判断で便の排泄を止める必要が生じた場合、便の排泄を止めることもできる。【選択図】図１
2007125340.tif 000002
【特許請求の範囲】
【請求項１】
意識していても、または無意識のうちに自然と肛門外へ漏れたりにじみ出る便やおならを一時的に直腸から肛門への出口１４、肛門１５と又は肛門の出口１６で防ぐ栓、図１栓の芯２に便やおならの漏れを一時的に防ぐふた状のもの１と３、突起５、くぼみ６、ねじり、デコボコ、太いあるいは細い部分を単数または複数設けた、織り込んだあるいは編み込んだことを特微とする栓である。又この栓は、専門医の判断で便の排泄を止める必要が生じた場合、便の排泄を止めることもできる。
【請求項２】
前記の栓の材質には、硬軟に関わらず、内臓、皮膚、粘膜、血管、細胞や痔などの患部、身体全体又は一部に害や傷などを与えないもの、あるいは肛門や痔など患部を保護する、例えば、紙を含む弾性や柔軟性を有した材質、下痢などの水分を吸収する材質、通気性を有する材質、ガスを吸着したり中和する材質、薬、成分、養分や水分を含有した材質あるいは消毒、防菌処置が施された材質などを形状とし、直腸、肛門内外への脱離、脱落、進入やズレを防ぐとめ具的な用途も果たす、ふた状のもの、突起、くぼみ、ねじり、デコボコ、太いあるいは細い部分が栓の一部または複数の場所に含まれたり、位置されたりあるいは着脱できる機能を備えることを特徴とする請求項１記載の栓。
【請求項３】
前記の栓には、その栓の全体又は一部の材質を、用途に応じて変えることによって、いろいろな機能を備える特微をもたせることができる。例として、
（イ）前記の栓には、通気性を有する材質を使用し、おならをその材質の中と外周に沿って通過させることによって、おならの音を消音させる消音具の機能を備えることを特微とする。また通気性を有しない材質でも、栓全体あるいは一部に突起、くぼみ、よじり、ねじり、でこぼこ、太いあるいは細い個所を単数あるいは複数設けた、織り込んだあるいは編み込んだものでも、おならが通過できる空間を提供しておくと、おならは自然と自由に通過できる。通過する時の音を消音できる機能を備えることを特徴とする。（ロ）前記の栓には、通気性を有する材質にガスなどの吸着効果を持つ活性炭等を材質として使用することによって、栓とその外周を通過するおならの悪臭を消臭する機能を備える。栓の材質に通気性がない場合でも、栓全体、又は一部にガスなどの吸着効果を持つ活性炭等を使用しあるいはガスを中和する成分を使用することによって、ガスが体内、特に直腸内にある内に吸着させたり、消臭させたり、ガスを消滅させたりあるいは中和させることができる機能を備えることを特微とする。（ハ）前記の栓には、高温、常温、低温または凍温を保温できる材質を使用することによって、栓に保温する機能を備えることができ、あるいは栓に設けた空洞、空間、溝あるいは栓の一部を利用し、その部分に高温、常温、低温や凍温の機能を有したものを、必要な時に着脱や位置する機能を備えることを特徴とする請求項２記載の栓。
【請求項４】
前記の栓には、例えば直腸、肛門内外の単数または多種複数の痔や患部に、一度に直接、薬、成分、養分や水分をあてがったり、塗ったり又は染み込ませたい場合、栓全体または必要な個所に薬などをあてがい、塗り又は染み込ませ、肛門から体内の所定の位置まで挿入し、位置することによって、薬、成分、養分や水分を患部に直接あてがい、塗りあるいは染み込ませることができる、薬塗り具としての機能を備えることを特徴とする請求項１記載の栓。
【請求項５】
前記の栓には、栓を肛門内に楽に挿入するには、栓の棒状の芯にあたる部分に、栓を肛門内に挿入しそして所定の位置に位置するまで曲がらない程度の強度をもたせる、あるいは栓全体又は棒状の芯にあたる部分に空洞、空間または溝を設け、その中に栓を肛門内へ楽に挿入することができる程度の強度がある、棒状のものを入れ又はあてがい、棒状のものの後端をもって押し、栓を所定の位置まで挿入し、その後、棒状のものだけを抜き出す。栓を肛門内へ楽に挿入する材料とする機能を備えることを特徴とする。尚、この空洞、空間や溝１０には棒状のもの以外のものも、身体全体または一部が必要とするものを格納、着脱や位置する又は通過させる事ができる機能を備えることを特徴とする請求項１記載の栓。
【請求項６】
前記の栓には、血液、血行、細胞、神経、感情や便秘を含む身体全体または一部に良い影響を与えるとされる、例えば磁気、鉱石、物質、形状や薬など、あるいは腸内に善玉菌を増やすとされるオリゴ糖や乳酸菌などを栓の全体又は栓に設けた空洞、空間や溝を含む一部に位置したり、塗ったり、又は染み込ませ、肛門より挿入し、肛門、直腸を中心とした体内の必要な位置に位置することができ、そして必要な時に出し入れ、着脱や位置することができる機能を備えることを特微とする請求項５記載の栓。
【請求項７】
前記の栓には、栓を格納できる筒を使用し、薬、成分、養分や水分をあてがった、塗ったまたは染み込ませた栓を筒内に格納し、栓に塗ったり染み込ませた薬などが目的場所の肛門、直腸あるいはその奥の患部に届けられるまで滅消することなく届くように、肛門の出口からスムーズに肛門の所定の位置に誘導する事ができる。筒が所定の位置に届いたとき、棒状のものの先を格納された栓の後端部分のふた状のものにあてがい、筒だけを肛門外へ抜き出す、格納されていた栓を所定の位置に位置する機能を備えることを特微とする請求項５記載の栓。
【発明の詳細な説明】
【０００１】  この発明は、体質、体調によってあるいは肛門の筋肉がゆるんでいる場合などに発生する、意識していても、または無意識のうちに自然と体外へ漏れたりにじみ出る便やおならを一時的に直腸から肛門への出口１４、肛門１５と又は肛門の出口１６で防ぐ栓に関する。
【背景技術】
【０００２】  従来の意識していても、または無意識のうちに自然と体外へ漏れる便は下着や従来のパットやオムツで受け止めても尻に付着し、悪臭を発し、不快感を感じた。音を発して漏れてくるおならはパットやオムツでは止めるのが難しく、悪臭を伴うと嫌がられるのが現状である。
【発明の開示】
【発明が解決しようとする課題】
【０００３】  しかしながら、以上の技術によれば、意識していてもまたは無意識の内に自然と漏れたりにじみ出る便は肛門の外、体外で受け止めるしかなっかた。そこでこの発明は、便をもようす時まで又は便器にたどり着くまで、一時的に便の漏れを直腸から肛門への出口１４、肛門１５と又は肛門の出口１６で防ぐ栓図６を提供することを課題とする。また意識していてもまたは無意識の内に自然と漏れるおならの音と悪臭はまわりの人達に嫌われた。そこでこの発明は、トイレに行くまで一時的におならが無意識のうちに自然と漏れ出るのを直腸から肛門への出口１４、肛門１５と又は肛門の出口１６で防ぐ栓図６を提供することを課題とする。
【課題を解決するための手段】
【０００４】  以上の課題を解決するために、第一発明は、意識していても、または無意識のうちに自然と肛門外へ漏れたりにじみ出る便やおならなどを一時的に直腸から肛門への出口１４、肛門１５と又は肛門の出口１６で防ぐ栓、図１栓の芯の部分２に便やおならの漏れを一時的に防ぐふた状のもの１と３、突起５、くぼみ６、ねじり、デコボコ、太いあるいは細い部分を単数または複数設けた、織り込んだ、編み込んだことを課題とする。また、第二発明は、この栓には内臓、皮膚、粘膜、血管、細胞や痔などの患部、身体全体又は一部に害や傷などを与えないあるいは肛門や痔など患部を保護する材質、下痢などの水分を吸収する材質、薬、成分、養分や水分を含有した材質あるいは消毒、防菌処置が施された紙を含む弾性や柔軟性を有した材質を形状とし、直腸、肛門内外への脱離、脱落、進入やズレを防ぐ、留め具的な用途も果たす、ふた状のもの、突起、くぼみ、ねじり、デコボコ、太いあるいは細い部分が栓の一部または複数の場所に含まれたり、位置されたりあるいは着脱できることを課題とする。
【発明の効果】
【０００５】  第一発明は、図６で示すように直腸１３から肛門外へ自然と漏れたりにじみ出る便２０やおならを一時的に直腸から肛門への出口１４、肛門１５と又は肛門の出口１６で防ぐ栓、図１と２の肛門出口のふた状のもの１、芯の部分２、直腸から肛門への出口のふた状のもの３、芯の先端４を有すし、自然と漏れたりにじみ出る便やおならを一時的に防ぐ栓を提供することを目的とする。第二発明は、栓の材質には、身体全体又は一部に害や傷を与えないあるいは肛門や痔などの患部を保護する、紙を含む弾性や柔軟性を有したものを形状とし、自然と漏れる便やおならを一時的に防ぐために栓の芯に当る部分２にふた状のもの１と３あるいは突起５、くぼみ６、ねじり、太いあるいは細い部分などを設けたり、織り込んだり、編み込んだりあるいは着脱できる栓を提供することを目的とする。
【発明を実施するための最良の形態】
【０００６】  この発明の一実施形態を、図１に示す。
栓の本体１、２、３と４は身体に無害で弾性、柔軟性を有した製品であり、この本体の栓１、２、３と４の芯の部分２にはふた状のもの、突起やくぼみなどが単数または複数設けられたかたちとなる。
【実施形態の効果】
【０００７】  この実施形態によれば、芯の部分２とふた状のもの１と３の働きで、直腸から肛門外への自然と漏れる便を一時的に防ぐことができ、紙を含む弾性と柔軟性を有する形状なので挿入された直腸や肛門には痛みを与えることもなく、直腸、肛門や痔の患部をも保護する事ができる。同じ栓の形状と仕組みをもって、自然と漏れるおならも一時的に防ぐことができる。ふた状のもの３は栓が直腸から肛門への出口１４から肛門１５への脱落を防ぎ、ふた状のもの１は栓が肛門の出口１６から直腸への、それ以上の進入を防ぐ、紙を含む弾性と柔軟性を有する材質なので、直腸、肛門や痔の患部をも保護することができる。
【他の実施形態】
【０００８】  図１の実施形態では、便やおならの漏れを一時的に防ぐ栓は、栓の芯の部分２とその上下方向に位置したふた状のもの１と３であったが、他の実施形態では、漏れを防ぐには、芯の部分２に突起５、くぼみ６、よじり、ねじり、でこぼこ、太いあるいは細い個所を単数あるいは複数設けた、織り込んだ、編み込んだものでも良い。
【０００９】  栓には、硬軟に関わらず、内臓、皮膚、粘膜、血管、細胞や痔などの患部、身体全体又は一部に害や傷などを与えないもの、あるいは直腸、肛門や痔などの患部を保護する、例えば、紙を含む弾性や柔軟性を有した材質、下痢などの水分を吸収する材質、通気性を有する材質、ガスを吸着したり中和する材質、薬、成分、養分や水分を含有した材質あるいは消毒、防菌処置が施された材質などを形状とする。図６と６−１の栓の１、２と３は直腸、肛門内外への脱離、脱落、進入やズレを防ぐとめ具的な用途も果たす、ふた状のもの、突起、くぼみ、ねじり、デコボコ、太いあるいは細い部分が栓の一部または複数の場所に含まれたり、位置されたりあるいは着脱できるものでも良い。
【００１０】  第三発明は、図１と２の栓は、図５で示される直腸１３、直腸から肛門への出口１４、肛門１５、肛門の出口１６に発生する単数、多種複数の痔１８や１９の全患部に、図６と６−１に示すように一度に直接薬、成分や養分をあてがい、塗り又は染み込ませることができる、薬当て具の機能を備える。図１と図２栓の１、２、３、４、７、８の全体または一部に必要な薬、成分や養分をあてがい、ぬり又は染み込ませ、図６と６−１に示される肛門の出口１６から挿入し、肛門、直腸内に位置し、必要な薬、成分や養分を一度に直接、単数または多種複数の全患部にあてがう、塗る又は染み込ませることができる。
【００１１】  第四発明は、図３断面図で示される栓全体または棒状の芯の部分に空洞、空間または溝９を設ける。前記の栓を肛門内へ楽に挿入するには、栓の棒状の芯の部分にある程度の強度をもたせれば良いが、無い場合には、栓を肛門内へ楽に挿入するのに必要な強度をもった図３−１の棒状のもの１０を図３の空洞、空間または溝９に入れ又はあてがい、棒状のもの１０の後端をもって押し、栓を所定の位置まで挿入し、その後、棒状のものだけを抜き出す。棒状のものを使用し、栓を肛門内へ楽に挿入する材料とする機能を備える。尚、この空洞、空間や溝９には棒状のもの１０以外のものも格納、着脱や位置する又は通過させる事ができる。
【００１２】  栓には血液、血行、細胞、神経、感情、便秘など身体全体または一部に良い影響を与えるとされる、例えば磁気、鉱石、物質、形態、薬あるいは腸内の善玉菌を増やすオリゴ糖や乳酸菌などを栓全体または栓に設けた空洞、空間や溝を含む一部に位置したり、あてがったり、塗ったり又は染み込ませ、肛門出口より挿入し、肛門、直腸を中心とした体内の必要な位置に位置することができる機能を備え、また痔などの発生を防止するための血行促進、清潔推持のために図１と２の栓に薬湯などを染み込ませ、直腸や肛門内に位置することができる、また必要な時に体内外への出し入れが自由にできる。
【００１３】  第五発明は、図４に示すように、栓全体又は一部図４−１に通気性１１、１２を有する材質を使用することによって、自然と漏れるおならの音を、その通気性のある材質内とその栓の外周に沿って通過させ、おならの音の一原因とされる、閉じられた肛門内の肉壁を押し開いて通過せずにすみ、おならの音を消音することができる。また通気性を有しない材質でも、図１の栓全体あるいは一部に突起５、くぼみ６、よじり、ねじり、でこぼこ、太いあるいは細い個所を単数あるいは複数設けた、織り込んだあるいは編み込んだものでも、おならが通過できる空間を提供し通過させることによって、おならの音を消音することができる。
【００１４】  第六発明は、図４と４−１に示すように、図２の栓を含む栓全体又は一部図４−１に通気性を有する材質の全体１１又は一部１２にガスなどの吸着効果を持つ活性炭等を使用することによって、おならが図４の１１と図４−１の１２を通過する時、おならの悪臭を消臭する。栓の材質が通気性がない場合でも、栓全体１１、又は一部１２にガスなどの吸着効果を持つ活性炭等を使用したり、ガスを中和する成分などを使用すると、ガスが体内、特に直腸内にある内に吸着、消滅、消臭させたり中和させることができる。
【００１５】  第七発明は、栓図４に示すように、図２の栓全体または一部図４−１に高温、常温、低温や凍温を保温できる材質を使用することによって、栓全体１１又は一部１２に保温する機能を備えることができ、また図３に示されている栓の空洞、空間や溝９を利用し、その中に多種多形の各温度を保温できる医具や温度保温具を位置することができる。この医具や温度保温具は自由自在、必要な時に出し入れ、着脱や位置することができる。血液、血行、細胞、神経、感情など、身体全体または一部に良い影響をあたえるために必要とする温度をあてがうことによって、体調を調える事ができる。
【００１６】  第八発明は、図７筒２２は、栓にあてがった、塗った又は染み込ませた薬、成分や養分が滅少することなく、肛門や直腸の患部またはその奥まで届くように、図１または２の栓を筒内に格納図７−１し、肛門の出口１６からスムーズに肛門内の所定の位置に誘導する事ができる。筒２２が所定の位置に届いたとき、図３−１の棒状のもの１０の先を格納された栓図７−１のふた状のもの１の外側にあてがい動かないようにし、筒２２だけを肛門外へ抜き出すと、格納されていた栓２３は所定の位置、図６又は図６−１に示されるように収まる。
【図面の簡単な説明】
【００１７】
【図１】この発明の一実施形態を示す斜視図である。
【図２】この発明の芯にあたる部分を延長した時の断面図である。
【図３】この発明の栓に設けた空洞、空間や溝の断面図。
【図３−１】この発明の栓の空洞などに入れる棒状のものの断面図。
【図３−２】この発明の栓の空洞の中に入れられた棒状のものの断面図。
【図４】この発明の栓全体に目的に合った材質、保温性、通気性、消音性、消臭性、中和性のある材質を使用した時の断面図である。
【図４−１】この発明の栓の一部に目的に合った材質、保温性、通気性、消音性、消臭性、中和性のある材質を使用した時の断面図である。
【図５】この発明の直腸、肛門、尻、直腸内のガス、便、直腸と肛門内外の多種の痔の断面図。
【図６】この発明の栓を直腸から肛門への出口、肛門、肛門出口に位置したときの断面図。
【図６−１】この発明の栓の延長した芯の部分を直腸内、肛門、肛門出口に位置した時の断面図。
【図７】この発明の栓を格納する筒の斜面図。
【図７−１】この発明の栓を筒の中に格納したときの断面図。
【図７−２】この発明の栓を筒に格納し、肛門内に挿入し、位置した後、筒だけを抜き出す時の断面図。
【符号の説明】
【００１８】１．肛門出口のふた状のもの（栓）、  ２．栓の芯の部分、  ３．直腸から肛門への出口のふた状のもの（栓）、  ４．芯の先端、  ５．突起、  ６．くぼみ、  ７．延長された芯の部分、  ８．延長された芯に位置したふた状のもの、  ９．栓の空洞、空間、溝、  １０．棒状のもの、  １１．栓全体に使用した通気性、保温性、消音性、消臭性など用途にあわせた材質、  １２．栓の一部に使用した通気性、保温性、消音性、消臭性など用途にあわせた材質、  １３．直腸、  １４．直腸から肛門への出口、  １５．肛門、  １６．肛門の出口、  １７．尻、  １８．内痔核、  １９．裂肛、  ２０．便、  ２１．ガス、  ２２．筒、  ２３．筒に格納された栓
【図１】
2007125340.tif 000003
【図１−１】
2007125340.tif 000004
【図２】
2007125340.tif 000005
【図３】
2007125340.tif 000006
【図３−１】
2007125340.tif 000007
【図３−２】
2007125340.tif 000008
【図４】
2007125340.tif 000009
【図４−１】
2007125340.tif 000010
【図５】
2007125340.tif 000011
【図６】
2007125340.tif 000012
【図６−１】
2007125340.tif 000013
【図７】
2007125340.tif 000014
【図７−１】
2007125340.tif 000015
【図７−２】
2007125340.tif 000016
【手続補正書】
【提出日】平成18年1月13日(2006.1.13)
【手続補正１】
【補正対象書類名】明細書
【補正対象項目名】００１７
【補正方法】変更
【補正の内容】
【００１７】
【図１】この発明の一実施形態を示す斜視図である。
【図１−１】この発明の芯に当る部分に突起とくぼみを設けた時の断面図である。
【図２】この発明の芯にあたる部分を延長した時の断面図である。
【図３】この発明の栓に設けた空洞、空間や溝の断面図。
【図３−１】この発明の栓の空洞などに入れる棒状のものの断面図。
【図３−２】この発明の栓の空洞の中に入れられた棒状のものの断面図。
【図４】この発明の栓全体に目的に合った材質、保温性、通気性、消音性、消臭性、中和性のある材質を使用した時の断面図である。
【図４−１】この発明の栓の一部に目的に合った材質、保温性、通気性、消音性、消臭性、中和性のある材質を使用した時の断面図である。
【図５】この発明の直腸、肛門、尻、直腸内のガス、便、直腸と肛門内外の多種の痔の断面図。
【図６】この発明の栓を直腸から肛門への出口、肛門、肛門出口に位置したときの断面図。
【図６−１】この発明の栓の延長した芯の部分を直腸内、肛門、肛門出口に位置した時の断面図。
【図７】この発明の栓を格納する筒の斜面図。
【図７−１】この発明の栓を筒の中に格納したときの断面図。
【図７−２】この発明の栓を筒に格納し、肛門内に挿入し、位置した後、筒だけを抜き出す時の断面図。